(57)【要約】【課題】会員と非会員の加入方法、および会員の加入操作方法を含み、本発明は、特許の取引効率を向上させ、且つ特許取引のコストを低減すること。【解決手段】自動特許取引プラットフォームシステムに関し、その主な構成は、特許データベースと、会員データベースと、マッチング演算装置と、シェア演算装置と、非会員データベースおよび実施権・売買演算装置等と、それらを互いに接続した組み合わせとからなる。【選択図】図１
2011258198.tif 000002
【特許請求の範囲】
【請求項１】
複数の特許データを記憶、追加および削除する特許データベースと、
複数の会員データを記憶する会員データベースと、
前記特許データベースと前記会員データベースとの相互情報のマッチングを行うマッチング演算装置と、
前記特許データベースにて提供される前記複数の特許データおよび前記会員データベースにて提供される前記複数の会員データを受け取ると、前記特許データベースに対して更新した特許データの提供を要求し、前記複数の会員へ前記複数の特許データを提供するシェア演算装置と、
非会員データを記憶する非会員データベースと、
前記会員データベースあるいは前記非会員データベースの検索情報を受け取ると、前記シェア演算装置へ特許取引を行うべく通知をする授権・売買演算装置を具備すると共に、
前記特許データベースはそれぞれ前記マッチング演算装置および前記シェア演算装置と接続されると共に、前記マッチング演算装置と前記シェア演算装置は前記会員データベースと接続され、前記シェア演算装置は前記授権・売買演算装置と接続され、前記授権・売買演算装置は前記非会員データベースと接続され、前記授権・売買演算装置は前記会員データベースと接続されていることを特徴とする自動特許取引プラットフォームシステム。
【請求項２】
前記特許データは、許可された特許を含むことを特徴とする請求項１に記載の自動特許取引プラットフォームシステム。
【請求項３】
前記特許データは、出願中の特許を含むことを特徴とする請求項１に記載の自動特許取引プラットフォームシステム。
【請求項４】
前記会員データベースに記録された会員は、特定の会費を納めた後に会員になった者であることを特徴とする請求項１に記載の自動特許取引プラットフォームシステム。
【請求項５】
前記シェア演算装置は、
前記会員データベースの前記会員に対して特定の特許を提供すると共に、
該特定の特許に対して特定期間内で有効な通常実施権を設定することを特徴とする請求項１に記載の自動特許取引プラットフォームシステム。
【請求項６】
前記通常実施権が有効な特定期間は、半年間、または一年間、あるいは一年半の期間のいずれかから選出されることを特徴とする請求項５に記載の自動特許取引プラットフォームシステム。
【請求項７】
前記特定の特許は、全ての特許、または特定の特許あるいは分類された特許もしくは選抜された特許でグルーピングされた中から選出されることを特徴とする請求項５に記載の自動特許取引プラットフォームシステム。
【請求項８】
前記授権・売買演算装置は、前記会員と前記非会員に対して特許譲渡を実施して提供することを特徴とする請求項５に記載の自動特許取引プラットフォームシステム。
【請求項９】
前記授権・売買演算装置は、前記会員と前記非会員に対して専用実施権を設定して提供することを特徴とする請求項５に記載の自動特許取引プラットフォームシステム。
【請求項１０】
複数の特許データを記憶、追加および削除する特許データベースと、
複数の会員データを記憶する会員データベースと、
前記特許データベースと前記会員データベースとの相互情報のマッチングを行うマッチング演算装置と、
前記特許データベースにて提供される前記複数の特許データおよび前記会員データベースにて提供される前記複数の会員データを受け取ると、前記特許データベースに対して更新した特許データの提供を要求し、前記複数の会員へ前記複数の特許データを提供するシェア演算装置とを具備し、
前記特許データベースはそれぞれ前記マッチング演算装置および前記シェア演算装置と接続されると共に、前記マッチング演算装置と前記シェア演算装置は前記会員データベースと接続されていることを特徴とする自動特許取引プラットフォームシステム。
【請求項１１】
特許データは、許可された特許を含むことを特徴とする請求項１０に記載の自動特許取引プラットフォームシステム。
【請求項１２】
特許データは、出願中の特許を含むことを特徴とする請求項１０に記載の自動特許取引プラットフォームシステム。
【請求項１３】
前記会員データベースに記録された会員は、特定の会費を納めた後に会員になった者であることを特徴とする請求項１０に記載の自動特許取引プラットフォームシステム。
【請求項１４】
前記シェア演算装置は、
前記会員データベースの前記会員に対して特定の特許を提供すると共に、
該特定の特許に対して特定期間内で有効な通常実施権を設定することを特徴とする請求項１０に記載の自動特許取引プラットフォームシステム。
【請求項１５】
前記通常実施権が有効な特定期間は、半年間、または一年間、あるいは一年半の期間のいずれかから選出されることを特徴とする請求項１４に記載の自動特許取引プラットフォームシステム。
【請求項１６】
前記特定の特許は、全ての特許、または特定の特許あるいは分類された特許もしくは選抜された特許でグルーピングされた中から選出されることを特徴とする請求項１４に記載の自動特許取引プラットフォームシステム。
【請求項１７】
前記授権・売買演算装置は、前記会員と前記非会員に対して特許譲渡を実施して提供することを特徴とする請求項１４に記載の自動特許取引プラットフォームシステム。
【請求項１８】
前記授権・売買演算装置は、前記会員と前記非会員に対して専用実施権を設定して提供することを特徴とする請求項１４に記載の自動特許取引プラットフォームシステム。
【請求項１９】
複数の特許を特許データベースへ入力し、
前記複数の特許を前記特許データベース内へ記憶し、
記録された前記特許データベースの前記特許をマッチング演算装置内へ転送し、
会員データベースの複数の会員データを前記マッチング演算装置内へ提供し、該複数の会員データと前記複数の特許の相互マッチングを実施してマッチング情報を生成し、該マッチング情報を前記会員データベースおよび前記特許データベースへ通知をし、
前記特許データベースの前記複数の特許と前記会員データベースの前記複数の会員データをシェア演算装置へ転送して複数の特許に対する会員評価見積もりを提供し、該シェア演算装置は前記複数の会員へ通知をして通常実施権を実施し、
前記シェア演算装置を介して演算された前記特許データベースの前記複数の特許と前記会員データベースの前記複数の会員データを前記授権・売買演算装置へ転送して演算を実行し、該複数の会員は特許優先選択を実行できることを特徴とする自動特許取引プラットフォームシステムの操作方法。
【請求項２０】
前記シェア演算装置は、前記会員に対して、該会員が該通常実施権を取得するか否かの選択を含めて通常実施権の実施を通知することを特徴とする請求項１９に記載の自動特許取引プラットフォームシステムの操作方法。
【請求項２１】
前記会員は前記特許優先選択を実施した後、更に、非会員データベースの非会員を授権・売買演算装置へ転送し、特許授権と譲渡の選択を実行することを特徴とする請求項１９に記載の自動特許取引プラットフォームシステムの操作方法。
【請求項２２】
前記特許データは、許可された特許を含むことを特徴とする請求項１９に記載の自動特許取引プラットフォームシステムの操作方法。
【請求項２３】
前記特許データは、出願中の特許を含むことを特徴とする請求項１９に記載の自動特許取引プラットフォームシステムの操作方法。
【請求項２４】
複数の特許を特許データベースへ入力し、
前記複数の特許を前記特許データベース内へ記憶し、
記録された前記特許データベースの前記特許をマッチング演算装置内へ転送し、
会員データベースの複数の会員データを前記マッチング演算装置内へ提供し、該複数の会員データと前記複数の特許の相互マッチングを実施してマッチング情報を生成し、該マッチング情報を前記会員データベースおよび前記特許データベースへ通知をし、
前記特許データベースの前記複数の特許と前記会員データベースの前記複数の会員データをシェア演算装置へ転送して複数の特許に対する会員評価見積もりを提供し、該シェア演算装置は前記複数の会員へ通知をして通常実施権を実施することを特徴とする自動特許取引プラットフォームシステムの操作方法。
【請求項２５】
前記シェア演算装置は、前記会員に対して、該会員が該通常実施権を取得するか否かの選択を含めて通常実施権の実施を通知することを特徴とする請求項２４に記載の自動特許取引プラットフォームシステムの操作方法。
【請求項２６】
前記特許データは、許可された特許を含むことを特徴とする請求項２４に記載の自動特許取引プラットフォームシステムの操作方法。
【請求項２７】
前記特許データは、出願中の特許を含むことを特徴とする請求項２４に記載の自動特許取引プラットフォームシステムの操作。
【発明の詳細な説明】
【技術分野】
【０００１】
本発明は、特許取引プラットフォームシステムに関し、特に演算技術を用いた自動特許取引プラットフォームシステムに関するものである。
【背景技術】
【０００２】
世界各国経済の迅速な発展に伴って、各種産業分野での特許技術に対する需要は大きいものとなっているが、実際には、産業界にて真に必要な特許技術を手に入れることは依然として難しい状況である。たとえ必要な特許技術が探し出せたとしても、それを取得するために多大な出費を伴い、大きな人的コストと物的コストをかけて、ようやく新しい特許技術を手に入れることができる。特に、新しい特許技術を導入したいメーカーに対しては、経営コストに影響を及ぼすことは必至である。一般的な技術輸入国にとって、探し求める特許技術を迅速且つ有効に取得する術は皆無に等しく、総体的な国力に対して重大な損害を与えかねない。
【０００３】
全世界各国の特許総数は既に四千万件突破が目前の状況であり、例えば欧州地区では既に三千万件を超え、米国地区でも既に七百万件に達しており、しかも、特許の出願総件数は大幅増加の状況が続いており、全世界各国の総件数は五千万件到達に向け、更にその速度を増しているのが現状である。しかし、特許の需要と特許の造出の両者間において、特許取引を進めるための有効なプラットフォームは依然として極度な欠乏状態にある。特に、便利で自動された操作の容易な特許取引プラットフォームは存在せず、特許供給と特許需要、特許技術情報等のマッチングプラットフォーム、ネットワークに接続できる自動特許取引プラットフォームを含めて更に欠乏した状況にある。
【０００４】
それゆえ、世界的に見て、現状は、ただ大量の特許が造出されているだけといっても過言ではなく、世界を股に掛ける大薬品企業を例にしてここ十年来の状況を鑑みると、世界を股に掛ける各大薬品企業である例えばＰｆｉｚｅｒやＭｅｒｃｋ等は、今まで新薬開発における費用は、多くの国家のＧＤＰを大きく超え、多くの人的資産と資金を投入したにもかかわらず目に見える効果を得ることができず、今日まで自身の研究上の投資回収率は既に信用が難しい程に落ち込んでいることに気づかず、上市認可のための新薬を作り出すことも年々下降傾向を示すその一方で、その他の外部の小企業は技術移転を進め、あるいは、現有技術を買い進めて、コストを抑えて更に大きな利益を生み出す産品を補強している。それゆえ、このような国際型の大薬品企業は、将来は自身の半分の産品は外部企業から導入するようになってしまう恐れがある。言い換えれば、医薬領域での国際的大企業でさえ、外部の特許技術の導入無しでは満足に企業活動が行えないのが実情であり、それゆえ特許取引に対して、そのような大企業のニーズがあるのは確実で、市場を鑑みれば、特許取引の規模は年々増加傾向にあると言える。
【０００５】
また、これまでの知識財産のサービスモデルは、ただ単に特許取引に協力するだけであって、自動特許取引プラットフォームの効果は得ることはできず、以下の各項で示すような欠点を生み出している：
・特許業者が提供する特許サービスは単独かつ断片的であり、一方的なデータ情報だけで、ある特定の要求に基づいてサービスを実行しているので、全面的な特許サービスを提供することはできない。
【０００６】
・ほとんどの特許データ通信サービスは、信頼できる伝統的な人的作業により進められており、データ通信化プラットフォームは一切無く、知識経験を累積させて広範囲に運用することができず、更に、大量の知識産権データや文献を自動で処理することもできず、今まで完全統合且つ自動化された特許取引プラットフォームは存在しなかった。
【０００７】
それゆえ、更に有効な特許取引プラットフォーム生み出し、完全なるサービスを企業へ提供するために、新式の自動特許取引プラットフォームを研究開発して、特許取引プラットフォームの取引効率を向上させて取引コストの低減を可能にすることが必要である。
【発明の概要】
【課題を解決するための手段】
【０００８】
本発明は、自動特許取引プラットフォームシステムに係り、その主な構成は、特許データベースと、会員データベースと、マッチング演算装置と、シェア演算装置と、非会員データベースと、授権・売買演算装置等と、それらの相互接続による組み合わせとからなる。
【０００９】
本発明に係る自動特許取引プラットフォームシステムの操作方法によれば、特許データベースから複数の特許データを入力し、該複数の特許データを記憶し、該複数の特許データをマッチング演算装置内へ転送し、複数のユーザデータを該マッチング演算装置へ提供し、該複数の特許データと該複数の会員データをシェア演算装置へ転送し、該シェア演算装置にて演算された該複数の特許データと該複数の会員データを該授権・売買演算装置へ転送して演算を実行し、該複数の非会員データを該授権・売買演算装置へ転送する。
【００１０】
本発明に係る自動特許取引プラットフォームシステムの操作方法によれば、特許データベースから複数の特許データを入力し、該複数の特許データを記憶し、該複数の特許データをマッチング演算装置内へ転送し、複数のユーザデータを該マッチング演算装置へ提供し、該複数の特許データと該複数の会員データをシェア演算装置へ転送し、該シェア演算装置にて演算された該複数の特許データと該複数の会員データを該授権・売買演算装置へ転送して演算を実行する。
【発明の効果】
【００１１】
本発明は、従来完全に「人力」を主とする主要な売買サービス要素を、完全に自動化した構成によるものに代替し、特許の取得のために時間と場所の制限を受けないようにしたものである。
【００１２】
本発明の売買プラットフォームシステムは、クラウド・コンピューティング（Ｃｌｏｕｄ  Ｃｏｍｐｕｔｉｎｇ）技術に係り、方策を決定する者の参考に供し、特許取引を代理する構成を提供し、売買全体のコストを低減し、売買成功のチャンスを増進させることができる。
【００１３】
本発明は整合するサービスプラットフォームのモデルを通して、特許研究開発チームあるいは特許関係に従事するサービスチームがその効力を発揮して専門レベルを向上させるのを促進し、知的財産権の運用を増進し、研究開発型企業の競争力をレベルアップさせることができる。
【００１４】
本発明は、企業を技術や経験の制限なく、必要な特許知識サービスを本プラットフォームにて取得することができ、特許の流通や使用を加速することができる。
【００１５】
本発明は、重複開発による無駄なコストを減少させ得ると共に、設計開発プロセスにかかる時間を短縮することができるので、特許を提供する側と使用する側との間の売買コストを大幅に低減することができ、それぞれの技術水準と競争力を協力しながら向上させることもできる。
【図面の簡単な説明】
【００１６】
【図１】本発明の自動特許取引プラットフォームシステムに係る第一の具体的実施形態を示す図である。
【図２】本発明の自動特許取引プラットフォームシステムに係る第二の具体的実施例形態を示す図である。
【図３】本発明の自動特許取引プラットフォームシステムの操作方法に係る第一の方法を示すフロー図である。
【図４】本発明の自動特許取引プラットフォームシステムの操作方法に係る第二の方法を示すフロー図である。
【発明を実施するための形態】
【００１７】
本実施形態は、自動特許取引プラットフォームシステムの第一実施例に係り、先ず図１に示すように、特許データベース１０１、会員データベース１０２、マッチング演算装置１０３、シェア演算装置１０４、非会員データベース１０５、授権・売買演算装置１０６および公共データベース１０７等の構成を具備する。
【００１８】
図１に示すように、「特許データベース」１０１は、それぞれ「マッチング演算装置」１０３と「シェア演算装置」１０４に接続され、該「マッチング演算装置」１０３と該「シェア演算装置」１０４は「会員データベース」１０２と接続され、該「シェア演算装置」１０４は「授権・売買演算装置」１０６と接続され、該「授権・売買演算装置」１０６は、「非会員データベース」１０５と「公共データベース」１０７に接続され、該「授権・売買演算装置」１０６は、該「会員データベース」１０２と接続する。
【００１９】
図１において、「特許データベース」１０１は、新しく発生した複数の特許データを随時補充するような機能を有し、現在出願中の特許や許可された特許に関するデータを記憶し、新たに許可となった特許や現在出願中の特許に関するデータを随時更新し続け、また不必要な特許については随時削除できる。
【００２０】
図１において、「会員データベース」１０２は、すべての応募加入した会員ユーザのデータを記憶する。会員の身分は、個人やメーカーあるいは法人機関である。「会員データベース」１０２は、会員資格の設定を記憶し、特定の会費を納めた後に会員となることができる。即ち、有償の会員制であることが必要である。会員になって特許を購入したい場合は、完備している「特許データベース」１０１の中から特許に関する各種状況を必要に応じて得ることができると共に、実施権の設定や設定する実施権の種類も考慮することができ、取引プラットフォームを通して適切な特許を探し出すことができる。この時、会員だけが「特許データベース」１０１へアクセスして特許データの検索できる権限を有する。こうすることで、会員の権益を確保する。
【００２１】
図１において、「マッチング演算装置」１０３は、「特許データベース」１０１と「会員データベース」１０２の相互間で情報をマッチングするためのものであり、特許とユーザとの間の相互マッチング（ｍａｔｃｈｉｎｇ）を進め、「会員データベース」１０２の会員ユーザ側端末へ特許情報を提供する。
【００２２】
図１において、「シェア演算装置」１０４は、「特許データベース」１０１にて提供する特許データおよび「会員データベース」１０２にて提供する会員ユーザデータが入力された後に「特許データベース」１０１に対して更新した特許データの提供を要求することができると共に、会員ユーザが評価見積もりを必要としている特許を提供することができ、必要に応じて特許を選択オークションにかける。そして、選択を必要としている特許の評価見積もり後の結果を「授権・売買演算装置」１０６へ通知する。
【００２３】
図１に示す「シェア演算装置」１０４において、以下のデータ演算を実行して記憶すると共に、「通常実施権」を設定して「会員データベース」１０２の会員へ提供することで、有効な特定期間内にて、特許データベース１０１内の特許（あらゆる特許、あるいは特定の特許、あるいは分類された特許、あるいは選抜された特許として設定されたものを含む）に対して実施を行えるようにして特許データベース１０１内の特許の実施を進め、特許を実施する期間も設定する。例えば、該期間は半年や一年あるいは一年半と設定できる。会員は、特許データベース１０１内の特許を訴訟活動に使用することもできる。例えば、権利侵害者に対して訴訟を提起する、あるいは侵害で提訴された場合には、防衛の手段として特許の提供を受けることができる。
【００２４】
図１において、「非会員データベース」１０５は、未加入で会員になっていない非会員ユーザに対して用いるものである。非会員の身分は、個人やメーカーあるいは法人機関である。この時、「非会員データベース」１０５の非会員は係属後に加入者になれるものであり、特許の優先選択権については、会員に比べてより良いチャンスは与えられず、且つ高い費用を納付してはじめてオークション活動への参加が許される。
【００２５】
図１において、「授権・売買演算装置」１０６は、「シェア演算装置」１０４と「非会員データベース」１０５のデータ情報を受け取った後、演算した後で該「シェア演算装置」１０４へ通知をして特許オークション（実施権設定および売買等のモデルも含む）を実行し、実施権設定および売買が成立しなかった特許に関するデータを「公共データベース」１０７へ転送する。
【００２６】
図１に示す「授権・売買演算装置」１０６は、会員と非会員に対して、「専用実施権の設定」あるいは「特許譲渡（売買）」の２者選択の「特許オークション」を実施する。即ち、「会員」あるいは「非会員」は、「専用実施権の設定」あるいは「特許譲渡（売買）」の２者選択に基づいて、価格を設定して投票した後、「授権・売買演算装置」１０６では、投票された全ての設定価格をオープンにして、全ての会員と非会員に「特許オークション」の価格を知らしめて、公平公正さを維持するようにする。特に、会員の権益を保障するため、会員は、上述した「シェア演算装置」１０４において、特許に対して一定期間内で有効な「通常実施権」を設定できるだけでなく、「授権・売買演算装置」１０６において、「専用実施権の設定」と「特許譲渡（売買）」の２者選択の「特許オークション」への参加資格を有すると共に、その得票金額は特別割引が適用されて優遇される。この他、「会員」あるいは「非会員」はいずれも「専用実施権の設定」と「特許譲渡」の２者選択的な「特許オークション」に参加できる。この２者選択項の設定は、政府関係の法規に則っとっており、その法規としては、科学基本法・政府科学技術研究発展成果貴族および運用方法、および国有財産法等の関係法規である。ただし、「非会員」は、投票のために高い料金を支払うことで、はじめて「特許オークション」に参加して「専用実施権の設定」あるいは「特許譲渡」の権利を得ることができる。
【００２７】
図１において、「公共データベース」１０７は、該「授権・売買演算装置」１０６を介して未だ実施権が設定されていない、あるいは売買されていない特許データを外部へ公開されて調査に供される。
【００２８】
本発明の自動特許取引プラットフォームシステムの第二実施例は、図２に示すような構成を成し、特許データベース１０１、会員データベース１０２、マッチング演算装置１０３およびシェア演算装置１０４を具備する。
【００２９】
図２に示すように、「特許データベース」１０１は、それぞれ「マッチング演算装置」１０３と「シェア演算装置」１０４に接続され、更に、該「マッチング演算装置」１０３と該「シェア演算装置」１０４は「会員データベース」１０２に接続されている。
【００３０】
図２において、「特許データベース」１０１は、新たな特許データを随時補充していき、現在出願中の特許および許可された特許を記憶して、不要な特許は随時除去する。
【００３１】
図２において、「会員データベース」１０２は、登録加入した会員ユーザデータを記憶する。会員の身分は、個人であったり、メーカーや法人機関であったりする。会員が特許を購入したい場合、あるいは特許を実施したい場合は、完備された「特許データベース」１０１において特許の各状況を把握することができ、この時、取引プラットフォームを通して適切な特許を探し出すことができる。この時、更に、会員だけが「特許データベース」１０１において特許サーチの権限を持っているので、会員の権益を確保することができる。
【００３２】
図２において、「マッチング演算装置」１０３は、「特許データベース」１０１と「会員データベース」１０２の相互情報をマッチングするためのものである。特許とユーザとの間の相互マッチングを進め、「会員データベース」１０２の会員ユーザ側端末へ特許情報を提供する。
【００３３】
図２において、「シェア演算装置」１０４は、特許データベース１０１で提供する特許データ、および「会員データベース」１０２で提供する会員ユーザデータが入力された後、該「シェア演算装置」１０４は「特許データベース」１０１に対して更新された特許データの提供を要求し、複数の会員ユーザが評価見積もりを必要としている特許を提供することができ、その特許、全ての特許、特定の特許、分類された特許、あるいは選抜された特許として設定される。
【００３４】
図３における第一方法のフロー図に示すように、本発明は、自動特許取引プラットフォームシステムの操作方法に係り、その方法は、会員と非会員全員が全員加入したという場合の操作方法であり、詳細は以下に記述する通りである：
図３におけるステップＳ３０１（第１図のシステム図を同時に参考）で、「現在出願中の特許」および「許可済みの特許」に該当する特許を特許データベース１０１へ入力する。特許は随時産出される状態であるため、本ステップの主な目的は、随時新しく産出された複数の特許を「特許データベース」１０１へ補充することである。
【００３５】
引き続き、図３のステップＳ３０２に示すように、該複数の特許を特許データベース１０１へ記憶させる。
【００３６】
続いて、図３のステップＳ３０３に示すように、既に「特許データベース」１０１にて記録された該複数の特許を「マッチング演算装置」１０３へ転送する。
【００３７】
また、図３のステップＳ３０４に示すように、「会員データベース」１０２の該複数のユーザデータを、「マッチング演算装置」１０３内へ提供し、該複数のユーザデータと該複数の特許の相互マッチングを実行する。この時、会員データベース内の会員は必要な費用を納める等して、会員資格を得ることが必要である。
【００３８】
ふたたび図３のステップＳ３０５において、「特許データベース」１０１の該複数の特許データと「会員データベース」１０２の複数のユーザデータを「シェア演算装置」１０４へ送信して演算を行う。この時、該「シェア演算装置」１０４は、会員に対して「通常実施権」の設定を通知し、会員は「通常実施権」に基づいて特定期間内にて「特許データベース」１０１の特許を実施できるものであり、会員はこの「通常実施権」を取得する必要があるか無いかを選択することができる。
【００３９】
特に、この時、「会員データベース」１０２内の該複数の会員は、特許優先選択を実行し、特許オークションへ参加することができる。例えば、会員は特許データベース内の全ての特許、または特定の特許、あるいは分類された特許に対して、通常実施権でもって実施することができ、半年、一年あるいは一年半といった特定な時間経過後（つまり、通常実施権が満了した後）に、許可された特許を主体として、それに出願中の特許も含めて特許オークションへ参加するかどうかを再考することができる。特に、会員の権益は一定期間内で通常実施権を有すると共に、「専用実施権」と「特許譲渡」のオークションへの参加資格をも有し、更に、オークションへの得票金額も特別割引が適用されて優遇される。
【００４０】
図３のステップＳ３０６に示すように、既に送られ且つ「シェア演算装置」１０４を介して演算された「特許データベース」１０１の該複数の特許と「会員データベース」１０２の該複数の会員データを「授権・売買演算装置」１０６へ転送する。即ち、「会員データベース」１０２の該複数の会員は、特許オークションへ参加可能である。
【００４１】
図３のステップＳ３０７において、「非会員データベース」１０５の非会員は、該「授権・売買演算装置」１０６に転送され、実施権設定と特許譲渡との選択が可能となり、非会員は個々案件のオークションを進めることができるが、特許の優先選択権においては、非会員はただ個々案件のオークションを進められるだけであり、会員が有するより良い選択のチャンスは持ち得ていない。
【００４２】
図３のステップＳ３０８に示すように、該「授権・売買演算装置」１０６を介して未だ実施権の設定されていない特許や譲渡選択がされていない特許を該「公共データベース」１０７へ送信して記憶する。この時の特許は公開データとして大衆へ共有され、ニーズについて問い合わせされる。
【００４３】
この他、図４に示す第二方法のフロー図によれば、本発明の他の自動特許取引プラットフォームシステムの操作方法では、会員が加入した状況において、以下に説明するような操作方法をとる：
図２を参考にして、図４のステップＳ４０１において、「現在出願中の特許」および「許可された特許」の複数の特許を特許データベース１０１へ入力する。特許は随時産出される状態であるので、本ステップの主要な目的は、新たに産出された複数の特許を「特許データベース」１０１へ随時補充することである。
【００４４】
引き続き図４のステップＳ４０２において、該複数の特許を特許データベース１０１へ記憶させる。
【００４５】
続いて、図４のステップＳ４０３において、既に記録された「特許データベース」１０１の該複数の特許を「マッチング演算装置」１０３内へ転送する。
【００４６】
また、図４のステップＳ４０４において、「会員データベース」１０２の該複数のユーザデータを「マッチング演算装置」１０３内へ提供し、該複数のユーザデータと該複数の特許の相互マッチングを実施する。
【００４７】
そして、図４のステップＳ４０５において、「特許データベース」１０１の該複数の特許データと「会員データベース」１０２の複数のユーザデータが「シェア演算装置」１０４へ送られて演算が実行される。この時、該「シェア演算装置」１０４は、特許の「通常実施権」設定を会員へ通知し、会員は「特許データベース」１０１の特許を特定期間内にて実施可能となる。
【００４８】
特に、この時、該複数の会員は、特許優先選択を実行し、例えば、会員は特許データベース内の全ての特許、または特定の特許、あるいは分類された特許に対して、特定期間内は通常実施権により実施することができ、半年、一年あるいは一年半といった特定期間経過後（つまり、通常実施権が満了した後）に、引き続いて、許可された特許を主体として、それに出願中の特許も含めて特許オークションへ参加するかどうかを再考することができる。特に、会員の権益は一定期間内で通常実施権を有することであり、会員は、更に「専用実施権」と「特許譲渡」のオークションへの参加資格をも有し、オークションへの得票金額も特別割引が適用されて優遇される。
【００４９】
本発明にて使用する演算技術は、取引演算技術の核心を成すものであり、コンピュータ処理装置を使用、あるいはネットワークを使用、もしくはクラウド演算技術（Ｃｌｏｕｄ  ｃｏｍｐｕｔｉｎｇ）等の方法の使用を含み、本発明のデータ処理を実行するため、高速演算機能および大量データメモリ機能を有する演算技術を援用することにより、特許取引の演算範囲を広げると共に演算速度を向上させ、買い手と売り手のマッチング速度を増進させることができる。
【００５０】
本発明の自動特許取引プラットフォームシステムは、特に、特許の通常実施権態様に基づく自動売買システムであって、その目的は、特許権利を余すことなく十分に活用できるようにすることであり、特に、特許出願数あるいは特許登録件数が比較的多い機関あるいはメーカーに焦点をあてて、特許の権利成立までの期間の短縮化を図り、あるいは、特許出願領域もしくは特許登録領域が比較的多岐に亘る期間やメーカーに焦点をあてて、一定数量を越えて必要な「特許分類」、「特許評価」、「特許パッケージ（Ｐａｃｋａｇｅ）」や、その他の更に必要な管理プロセスの複雑化の回避を図ることができる。
【００５１】
本発明は、自動特許取引プラットフォームシステムに係り、特に、「特許実施権」あるいは「特許譲渡」の態様に基づく自動売買システムである。その目的は、特許の産業利用性を十分に見出し、価値のある特許をふるいにかけて選別し、同時に特許権が引き続き維持する価値があるか否かの評価見積もりを行うことができ、特許年金を引き続き納める必要があるか否かの決定のための参考にすることができる。特に、毎年とても高い特許費用を払っている機関学校やメーカーにとって、有効にコストを統制して研究開発成果の産業化へフィードバックを実現するための参考指標とすることができる。
【００５２】
本発明における任意の会員（あるいは任意の非会員）は、実施権および売買の要求を「授権・売買演算装置」に送る。該「授権・売買演算装置」にてその要求を受け取った後、「シェア演算装置」へ通知し、関係する特許データの提供を要求すると共に、会員（あるいは非会員）へ取引を行う旨の通知を行う。その他、会員（あるいは非会員）をこの回の取引に関する「オークション」へ加入させ、該「授権・売買演算装置」にてオークションを進行し、この取引を専用実施権の設定あるいは譲渡を実現するための場とする。
本発明は、従来のサービス提供の出所を分散させてそのプロセスを柔軟にした特許取引に関するサービスを提供するものであり、整合性を有するプラットフォームシステムを中心として、関係する自動化技術を組み合わせて自動取引プラットフォームを構成する。企業の特許に対する要求と機密性の要求に基づいて、特許取引の効率を向上させ、自動マッチングの機能を通して、企業の特許取引を支援し、特許技術の出所を更に豊富にさせる。
【００５３】
本発明の出願特許範囲は、これらに限定されるものではなく、本発明の主旨を逸脱しない範囲における変更や追加は、本出願の特許請求の範囲に含まれる。
【符号の説明】
【００５４】
１０１：特許データベース
１０２：会員データベース
１０３：マッチング演算装置
１０４：シェア演算装置
１０５：非会員データベース
１０６：授権・売買演算装置
１０７：公共データベース
【図１】
2011258198.tif 000003
【図２】
2011258198.tif 000004
【図３】
2011258198.tif 000005
【図４】
2011258198.tif 000006